(57)【要約】 【課題】  画像形成装置と情報処理端末装置のいずれかが設定変更しようとしたときに、必ずしも画像形成装置での設定を優先せず、同等の設定変更処理を行うことが可能な画像形成装置を提供する。【解決手段】  パネル操作部１３、タッチパネルＬＣＤ１４によって設定変更が行われるときに、ウェブサーバ部１２は、ウェブブラウザのアクセスに基づいて予め行われる設定変更の内容と、パネル操作部１３による設定変更の内容とを比較する。これらの少なくとも一部が一致する場合は、パネル操作部１３による設定変更の実行を制限し、タッチパネルＬＣＤ１４に、ウェブブラウザ側で変更中であることを示す警告メッセージを表示する。【選択図】      図２
2009160793.tif 000002
【特許請求の範囲】
【請求項１】
複数の情報処理端末装置とデータ通信可能に構成され、情報処理端末装置で実行されるウェブブラウザから自装置に備えるウェブサーバ部へのアクセスに基づいて画像形成条件の設定変更を実行する画像形成装置において、
前記ウェブブラウザのアクセスに基づく前記画像形成条件の設定変更内容を検出する検出部と、
ユーザの操作によって、前記画像形成条件の設定変更を行う操作部と、
前記操作部による設定変更の内容と、前記検出部による設定変更の内容とに基づいて、前記画像形成条件の設定変更を実行するウェブサーバ部とを備え、
前記操作部によって設定変更が行われるとき、前記ウェブサーバ部は、前記検出部によって予め検出されていた検出結果に基づき、前記ウェブブラウザのアクセスに基づく設定変更の内容と、前記操作部による設定変更の内容とで少なくとも一部が一致する場合は、前記操作部による設定変更の実行を制限することを特徴とする画像形成装置。
【請求項２】
前記操作部による設定変更の実行を制限するとき、前記操作部が備える表示部に、設定変更の実行を制限することを示す警告表示を行うことを特徴とする請求項１記載の画像形成装置。
【請求項３】
複数の情報処理端末装置とデータ通信可能に構成され、情報処理端末装置で実行されるウェブブラウザから自装置に備えるウェブサーバ部へのアクセスに基づいて画像形成条件の設定変更を実行する画像形成装置において、
前記ウェブブラウザのアクセスに基づく前記画像形成条件の設定変更内容を検出する検出部と、
ユーザの操作によって、前記画像形成条件の設定変更を行う操作部と、
前記操作部による設定変更の内容と、前記検出部による設定変更の内容とに基づいて、前記画像形成条件の設定変更を実行するウェブサーバ部とを備え、
前記ウェブブラウザのアクセスに基づく設定変更が行われるとき、前記ウェブサーバ部は、前記操作部によって予め行われている設定変更の内容に基づき、前記ウェブブラウザのアクセスに基づく設定変更の内容と、前記操作部による設定変更の内容とで少なくとも一部が一致する場合は、前記ウェブブラウザのアクセスに基づく設定変更の実行を制限することを特徴とする画像形成装置。
【請求項４】
前記ウェブブラウザのアクセスに基づく設定変更の実行を制限するとき、前記ウェブサーバ部は、前記ウェブブラウザに、設定変更の実行を制限することを示す警告表示を行わせることを特徴とする請求項３記載の画像形成装置。
【請求項５】
前記ウェブブラウザのアクセスに基づく設定変更が行われるとき、前記ウェブサーバ部は、他のウェブブラウザのアクセスによって予め行われている設定変更の内容に基づき、前記ウェブブラウザのアクセスに基づく設定変更の内容と、前記他のウェブブラウザのアクセスに基づく設定変更の内容とで少なくとも一部が一致する場合は、前記ウェブブラウザのアクセスに基づく設定変更の実行を制限することを特徴とする請求項３記載の画像形成装置。
【発明の詳細な説明】
【技術分野】
【０００１】
本発明は、情報処理端末装置で実行されるウェブブラウザからのアクセスに基づいて画像形成条件の設定変更を実行する画像形成装置に関する。
【背景技術】
【０００２】
画像形成装置と、データ通信可能にネットワーク接続された情報処理端末装置とからなる通信システムは、複数の情報処理端末装置から画像データ送信して、これを受信した画像形成装置が出力することで、各端末装置が１つの画像形成装置を共有して使用することができるので、たとえばオフィス内などに好適に設けられるシステムである。
【０００３】
このようなネットワーク接続可能な画像形成装置の場合、操作パネルを介しての各種設定変更の他に、ウェブサーバを内蔵し、各端末装置で起動したウェブブラウザからのアクセスにより、ウェブサーバを利用してリモートで各種設定変更が可能となっている。
【０００４】
特許文献１記載のウェブページ同期閲覧システムでは、いずれかのクライアントコンピュータが現在閲覧中のウェブ情報とは異なるウェブ情報を要求してきたとき、ウェブサーバが、要求してきたクライアントコンピュータを代行して要求されたウェブ情報を取得し、ウェブサーバにアクセスしている全てのクライアントコンピュータに取得したウェブ情報を送信することで、複数のクライアントコンピュータでのウェブページの同期閲覧が可能となる。
【０００５】
【特許文献１】特開２００４−９４９２８号公報
【発明の開示】
【発明が解決しようとする課題】
【０００６】
特許文献１に記載されているように、ウェブサーバにアクセスするクライアントコンピュータ間では、ウェブ情報に対して同期閲覧が可能である。
【０００７】
ウェブサーバを内蔵した画像形成装置の場合、ネットワーク接続された情報処理装置で起動するウェブブラウザとの通信が、ウェブブラウザでの操作による画像形成装置の設定ページを表示する毎に切断されていたために、ウェブブラウザでの操作状態が画像形成装置側では判断できない。
【０００８】
したがって、画像形成装置の操作パネルを介した設定変更と内蔵ウェブページによる設定変更とでは、操作パネル側での設定変更を優先するように構成しており、ウェブブラウザを介して設定変更を行っている項目を、操作パネル側でも変更すると、ウェブブラウザによる設定変更ができないような構成となっている。また、複数のウェブブラウザで同じ設定項目を同時に変更しようとした場合、お互いに設定変更しようとしていることが判断できず、最後に変更された設定が常に有効となる構成となっている。
【０００９】
このような構成では、複数のユーザがそれぞれの情報処理装置を操作して設定変更した場合に、いずれの設定が有効になっているのかユーザは知ることができない。自分が変更した変更内容とは異なる設定が有効になっていた場合は、画像形成装置で出力されたものが全く意図していたものと違うことがあり、使い勝手の悪いシステムとなってしまう。
【００１０】
本発明の目的は、画像形成装置と情報処理端末装置のいずれかが設定変更しようとしたときに、必ずしも画像形成装置での設定を優先せず、同等の設定変更処理を行うことが可能な画像形成装置を提供することである。
【課題を解決するための手段】
【００１１】
本発明は、複数の情報処理端末装置とデータ通信可能に構成され、情報処理端末装置で実行されるウェブブラウザから自装置に備えるウェブサーバ部へのアクセスに基づいて画像形成条件の設定変更を実行する画像形成装置において、
前記ウェブブラウザのアクセスに基づく前記画像形成条件の設定変更内容を検出する検出部と、
ユーザの操作によって、前記画像形成条件の設定変更を行う操作部と、
前記操作部による設定変更の内容と、前記検出部による設定変更の内容とに基づいて、前記画像形成条件の設定変更を実行するウェブサーバ部とを備え、
前記操作部によって設定変更が行われるとき、前記ウェブサーバ部は、前記検出部によって予め検出されていた検出結果に基づき、前記ウェブブラウザのアクセスに基づく設定変更の内容と、前記操作部による設定変更の内容とで少なくとも一部が一致する場合は、前記操作部による設定変更の実行を制限することを特徴とする画像形成装置である。
【００１２】
また本発明は、前記操作部による設定変更の実行を制限するとき、前記操作部が備える表示部に、設定変更の実行を制限することを示す警告表示を行うことを特徴とする。
【００１３】
また本発明は、複数の情報処理端末装置とデータ通信可能に構成され、情報処理端末装置で実行されるウェブブラウザから自装置に備えるウェブサーバ部へのアクセスに基づいて画像形成条件の設定変更を実行する画像形成装置において、
前記ウェブブラウザのアクセスに基づく前記画像形成条件の設定変更内容を検出する検出部と、
ユーザの操作によって、前記画像形成条件の設定変更を行う操作部と、
前記操作部による設定変更の内容と、前記検出部による設定変更の内容とに基づいて、前記画像形成条件の設定変更を実行するウェブサーバ部とを備え、
前記ウェブブラウザのアクセスに基づく設定変更が行われるとき、前記ウェブサーバ部は、前記操作部によって予め行われている設定変更の内容に基づき、前記ウェブブラウザのアクセスに基づく設定変更の内容と、前記操作部による設定変更の内容とで少なくとも一部が一致する場合は、前記ウェブブラウザのアクセスに基づく設定変更の実行を制限することを特徴とする画像形成装置である。
【００１４】
また本発明は、前記ウェブブラウザのアクセスに基づく設定変更の実行を制限するとき、前記ウェブサーバ部は、前記ウェブブラウザに、設定変更の実行を制限することを示す警告表示を行わせることを特徴とする。
【００１５】
また本発明は、前記ウェブブラウザのアクセスに基づく設定変更が行われるとき、前記ウェブサーバ部は、他のウェブブラウザのアクセスによって予め行われている設定変更の内容に基づき、前記ウェブブラウザのアクセスに基づく設定変更の内容と、前記他のウェブブラウザのアクセスに基づく設定変更の内容とで少なくとも一部が一致する場合は、前記ウェブブラウザのアクセスに基づく設定変更の実行を制限することを特徴とする。
【発明の効果】
【００１６】
本発明によれば、自装置が備える操作部によって設定変更が行われるときに、ウェブサーバ部は、検出部によって予め検出されていた検出結果に基づいて、ウェブブラウザのアクセスに基づく設定変更の内容と、操作部による設定変更の内容とを比較する。これらの少なくとも一部が一致する場合は、操作部による設定変更の実行を制限する。
【００１７】
これにより、画像形成装置と情報処理端末装置のいずれかが設定変更しようとしたときに、必ずしも画像形成装置での設定を優先せず、情報処理端末装置がすでに変更しようとしていれば、画像形成装置での設定を制限するので、画像形成装置と情報処理端末装置とで同等の設定変更処理を行うことができる。
【００１８】
また本発明によれば、前記操作部による設定変更の実行を制限するとき、前記操作部が備える表示部に、設定変更の実行を制限することを示す警告表示を行う。
【００１９】
これにより、操作部を操作して設定変更しようとしたユーザは、情報処理端末装置によって設定変更が行われていることを容易に知ることができる。
【００２０】
また本発明によれば、ウェブブラウザのアクセスに基づく設定変更が行われるときに、ウェブサーバ部は、操作部によって予め行われている設定変更の内容に基づいて、ウェブブラウザのアクセスに基づく設定変更の内容と、操作部による設定変更の内容とを比較する。これらの少なくとも一部が一致する場合は、ウェブブラウザのアクセスに基づく設定変更の実行を制限する。
【００２１】
これにより、画像形成装置と情報処理端末装置のいずれかが設定変更しようとしたときに、必ずしも画像形成装置での設定を優先せず、自装置がすでに変更しようとしていれば、情報処理端末装置での設定を制限するので、画像形成装置と情報処理端末装置とで同等の設定変更処理を行うことができる。
【００２２】
また本発明によれば、前記ウェブブラウザのアクセスに基づく設定変更の実行を制限するとき、前記ウェブサーバ部は、前記ウェブブラウザに、設定変更の実行を制限することを示す警告表示を行わせる。
【００２３】
これにより、情報処理端末装置のウェブブラウザを介して設定変更しようとしたユーザは、画像形成装置によって設定変更が行われていることを容易に知ることができる。
【００２４】
また本発明によれば、ウェブブラウザのアクセスに基づく設定変更が行われるとき、前記ウェブサーバ部は、他のウェブブラウザのアクセスによって予め行われている設定変更の内容に基づいて、前記ウェブブラウザのアクセスに基づく設定変更の内容と、前記他のウェブブラウザのアクセスに基づく設定変更の内容とを比較する。これらの少なくとも一部が一致する場合は、前記ウェブブラウザのアクセスに基づく設定変更の実行を制限する。
【００２５】
これにより、複数の情報処理端末装置が設定変更しようとしたときに、いずれかの情報処理端末装置がすでに変更しようとしていれば、その後に変更しようとする情報処理端末装置での設定変更の実行を制限するので、複数の情報処理端末装置間で同等の設定変更処理を行うことができる。
【発明を実施するための最良の形態】
【００２６】
図１は、画像形成装置１０１と情報処理端末装置１０３〜１０９とのシステム構成例を示す図である。
【００２７】
画像形成装置１０１は、有線または無線ＬＡＮなどの所定のネットワーク１０２によって複数の情報処理端末装置１０３〜１０９とデータ通信可能に接続されている。ここで、本実施形態では、情報処理端末装置１０３〜１０９は、パーソナルコンピュータ（ＰＣ）１０３〜１０９で実現されるものとする。情報処理端末装置としては、ＰＣに限らずサーバ装置や他の画像形成装置などであってもよい。
【００２８】
一般的なネットワーク環境では、ネットワーク１０２を介して各ＰＣ１０３〜１０９からウェブブラウザを利用して、画像形成装置１０１に内蔵されたウェブサーバにアクセスし、画像形成装置１０１の各種設定を変更することが可能である。
【００２９】
図２は、画像形成装置１０１の構成を示すブロック図である。画像形成装置１０１は、ネットワークプリンタや複合機などで実現され、本実施形態ではネットワークプリンタとして説明する。
【００３０】
画像形成装置１０１は、プリンタエンジン１０、プリンタ制御部１１、ウェブサーバ部１２、パネル操作部１３、タッチパネルＬＣＤ（液晶表示装置）１４、データ送受信部１５、印刷部１６を含んで構成される。
【００３１】
画像形成装置１０１では、データ送受信部１５がネットワーク１０２を介して各ＰＣ１０３〜１０９から印刷用の画像データを受信し、プリンタ制御部１１は、プリンタエンジン１０および印刷部１６を制御し、画像データに対して印刷に適した画像処理を施して印刷を行う。印刷部１６は、電子写真方式、インクジェット方式などの画像形成方式で画像データに基づく画像を印刷して出力する。
【００３２】
ユーザは、パネル操作部１３が備えるタッチパネルＬＣＤ１４を利用して、各種キーなどを操作し、ＬＣＤに表示されるステータスに基づいて印刷条件、データ通信条件などの各種設定や、印刷開始の指示などを行うことができる。
【００３３】
ウェブサーバ部１２は、ウェブサーバとしての機能を実現し、ＨＴＴＰ（Hyper Text
Transfer Protocol）に従って、ＰＣ上のウェブブラウザからの要求に対してＨＴＭＬ（
Hyper Text Markup Language）形式のウェブページなどを提供し、ｃｇｉなどを実行してＰＣからの要求に対する動的処理を行う。
【００３４】
図３は、ＰＣ１０３の構成を示すブロック図である。ＰＣ１０３〜１０９は、主な構造が共通しているので、ＰＣ１０３を例として説明する。
【００３５】
ＰＣ１０３は、ＣＰＵ２０、ＲＯＭ２１、ＲＡＭ２２、ＨＤＤ（ハードディスクドライブ）２３、通信コントローラ２４、ＬＡＮＩ／Ｆ（インターフェイス）２５を含む。
【００３６】
ＣＰＵ２４は、ＰＣ１０３全体の動作を制御する。ＲＯＭ２１は、ＰＣ１０３を動作させるためのＢＩＯＳなどが記憶される。ＲＡＭ２２は、ＰＣ１０３動作時に、プログラムの展開、演算結果の保存など一時的な記憶領域として使用される。ＨＤＤ２３は、大容量のデータ記憶装置で、ウェブブラウザなどアプリケーションソフトウェアや、画像データなど記憶する。通信コントローラ２４は、ＬＡＮＩ／Ｆ２５を介してデータ通信を行う際に、各通信プロトコルなどに応じてデータの変換などを行う。
【００３７】
ＰＣ１０３から画像形成装置１０１の各種設定を変更する場合は、ＰＣ１０３でウェブブラウザを起動して画像形成装置１０１のウェブサーバ部１２にアクセスし、ウェブサーバ部１２で予め登録されている設定変更用のウェブページ（ウェブ設定ページ）を取得する。ＰＣ１０３では、このウェブ設定ページの設定項目を変更し、変更データをウェブサーバ部１２に送り返すことで、ウェブサーバ部１２が変更データを取得し、変更内容をプリンタ制御部１１に受け渡すことで、画像形成装置１０１の各種設定が変更される。
【００３８】
画像形成装置１０１側で各種設定を変更する場合は、操作パネルの操作により、ウェブサーバ部１２で予め登録されている設定変更用のウェブページ（パネル設定ページ）をＬＣＤに表示し、このパネル設定ページの設定項目を変更すると、ウェブサーバ部１２が変更内容をプリンタ制御部１１に受け渡すことで、画像形成装置１０１の各種設定が変更される。
【００３９】
設定変更に用いられるウェブ設定ページおよびパネル設定ページは、ウェブサーバ部１２に登録された同じ設定項目を変更するためのページであるので、変更可能な設定項目などはＰＣ１０３側からの変更も画像形成装置１０１自身による変更も同じ項目について設定変更可能となっている。操作パネルのＬＣＤに表示される表示形態と、ウェブブラウザで表示される表示形態とは異なっているが、各設定ページで変更可能な設定項目は共通しているので、ウェブサーバ部１２は、ウェブブラウザ、操作パネルのそれぞれで変更しようとしている設定ページを比較する。
【００４０】
［第１実施形態］
図４〜図６は、設定変更処理を示すフローチャートである。
【００４１】
図４に示す処理では、ウェブサーバ１２部にアクセスしてきたウェブブラウザの状態を取得する処理を示す。
【００４２】
ステップＡ１で、各ＰＣのウェブブラウザからウェブサーバ部１２にアクセスがあると、ステップＡ２では、情報を保持済みのCookieであるかどうかを確認し、未保持のCookieであれば、ステップＡ３でユニークなCookieを、アクセスしてきた当該ウェブブラウザに対して発行してステップＡ４に進む。保持済みのCookieであれば、そのままステップＡ４に進む。
【００４３】
ステップＡ４では、アクセスしてきたウェブブラウザに対して、Cookieの情報とウェブブラウザの状態とをＰＣごとに関連付けて記憶する。ウェブブラウザの状態は、ＰＣ１０３の操作によって変更されるごとに最新の状態に更新される。
【００４４】
図５に示す処理では、画像形成装置１０１側において設定変更を行う、すなわちパネル操作部１３、タッチパネルＬＣＤ１４を介しての設定変更を行う処理を示す。
【００４５】
ステップＢ１で操作パネルの操作により、パネル設定ページを表示させる。
図７は、パネル設定ページ３０の表示例を示す図である。たとえば、パネル設定ページ３０には、設定項目として使用する用紙のトレイを選択するための用紙トレイ設定３１、印刷濃度を調整するための濃度モード設定３２、拡大、縮小時にその倍率を設定するためのコピー倍率設定３３、原稿の印刷状態、コピーの片面、両面印刷を選択するための両面印刷設定３４、ソートやステープルなど出力後の仕上げ処理を選択するための仕上げ処理設定３５などが設定可能となっている。
【００４６】
ステップＢ２で、操作パネルの操作によって設定の変更内容が入力されると、ステップＢ３で、現在アクセス中のウェブブラウザの状態を読み出し、変更しようとしているパネル設定ページといずれかのウェブブラウザで表示しているウェブ設定ページとが同じページかどうかを判断する。
【００４７】
パネル設定ページといずれかのウェブブラウザで表示しているウェブ設定ページとが同じページでなければ、各ＰＣでは、少なくとも同じ設定項目を変更しようとはしていないので、ステップＢ４で入力された変更内容を実行して反映させ、処理を終了する。
【００４８】
パネル設定ページといずれかのウェブブラウザで表示しているウェブ設定ページとが同じページであれば、いずれかのＰＣで、同じ設定項目を変更しようとしているので、操作パネルのＬＣＤに警告表示を行い、入力された変更内容を実行せずに終了する。
【００４９】
図８は、パネル設定ページ３０の警告メッセージ４０の表示例を示す図である。
現在表示されているパネル設定ページ３０に、「ウェブブラウザ側で操作中です。しばらくしてから再設定して下さい。」と記載した警告メッセージ４０をポップアップ表示する。
【００５０】
図６に示す処理では、ＰＣ１０３側において設定変更を行う、すなわちウェブブラウザを介して画像形成装置１０１のウェブサーバ部１２にアクセスして設定変更を行う処理を示す。
【００５１】
ステップＣ１でアクセスしてきたウェブブラウザに対してウェブ設定ページを送信して表示させ、ＰＣ１０３側で設定の変更内容が入力される。
【００５２】
図９は、ウェブ設定ページ５０の表示例を示す図である。たとえば、ウェブ設定ページ５０には、設定項目として、図７に示したパネル設定ページ３０と同じ設定項目である、用紙トレイ設定５１、濃度モード設定５２、コピー倍率設定５３、両面印刷設定５４などが設定可能となっている。
【００５３】
ステップＣ２では、変更しようとしているウェブ設定ページとパネル設定ページとが同じページかどうかを判断する。
【００５４】
ウェブ設定ページと操作パネルに表示しているパネル設定ページとが同じページでなければ、画像形成装置１０１では同じ設定項目を変更しようとはしていないので、ステップＣ３で入力された変更内容を実行するためにする。
【００５５】
なお、ＰＣ１０３のウェブブラウザからアクセスがあったときに、必ずしも操作パネルでパネル設定ページが表示されているとは限らない。パネル設定ページが表示されてない場合も、ウェブ設定ページと操作パネルに表示しているパネル設定ページとが同じページでないものと判断される。
【００５６】
ウェブ設定ページと操作パネルに表示しているパネル設定ページとが同じページであれば、画像形成装置１０１で、同じ設定項目を変更しようとしているので、ステップＣ４に進み、ウェブブラウザに警告表示を行うよう指示し、入力された変更内容を実行せずに終了する。
【００５７】
図１０は、ウェブ設定ページ５０の警告メッセージ６０の表示例を示す図である。
現在表示されているウェブ設定ページ５０に、「操作パネル側で操作中です。しばらくしてから再設定して下さい。」と記載した警告メッセージ６０を表示する。
ステップＣ５では、ウェブブラウザの状態を更新する。
【００５８】
［第２実施形態］
図１１、図１２は、設定変更処理を示すフローチャートである。
【００５９】
図１１は、画像形成装置１０１の処理を示すフローチャートであり、図１２は、ＰＣ１０３の処理を示すフローチャートである。
【００６０】
第１実施形態と同様に、図４に示したウェブブラウザの状態を取得する。
図１１に示す処理では、画像形成装置１０１側において設定変更を行う、すなわちパネル操作部１３、タッチパネルＬＣＤ１４を介しての設定変更を行う処理を示す。
【００６１】
ステップＤ１で操作パネルの操作により、パネル設定ページを表示させる。パネル設定ページ３０の表示例は、図７に示した例と同様である。
【００６２】
ステップＤ２で、操作パネルの操作によって設定の変更内容が入力されると、ステップＤ３で、現在アクセス中のウェブブラウザの状態を読み出し、変更しようとしているパネル設定ページといずれかのウェブブラウザで表示しているウェブ設定ページとが同じページかどうかを判断する。
【００６３】
パネル設定ページといずれかのウェブブラウザで表示しているウェブ設定ページとが同じページでなければ、各ＰＣでは、少なくとも同じ設定項目を変更しようとはしていないので、ステップＤ４で入力された変更内容を実行して反映させ、処理を終了する。
【００６４】
パネル設定ページといずれかのウェブブラウザで表示しているウェブ設定ページとが同じページであれば、いずれかのＰＣで、同じ設定項目を変更しようとしているので、操作パネルのＬＣＤに警告表示を行い、入力された変更内容を実行せずに終了する。パネル設定ページ３０の警告メッセージ４０の表示例は、図８に示した例と同様である。
【００６５】
図１２に示す処理では、ＰＣ１０３側において設定変更を行う、すなわちウェブブラウザを介して画像形成装置１０１のウェブサーバ部１２にアクセスして設定変更を行う処理を示す。
【００６６】
ステップＥ１でアクセスしてきたウェブブラウザに対してウェブ設定ページを送信して表示させ、ＰＣ１０３側で設定の変更内容が入力される。ウェブ設定ページ５０の表示例は、図９に示した例と同様である。
【００６７】
ステップＥ２では、変更しようとしているウェブ設定ページとパネル設定ページとが同じページかどうかを判断する。
【００６８】
ウェブ設定ページと操作パネルに表示しているパネル設定ページとが同じページでなければ、画像形成装置１０１では同じ設定項目を変更しようとはしていないので、ステップＥ３に進む。
【００６９】
なお、ＰＣ１０３のウェブブラウザからアクセスがあったときに、必ずしも操作パネルでパネル設定ページが表示されているとは限らない。パネル設定ページが表示されてない場合も、ウェブ設定ページと操作パネルに表示しているパネル設定ページとが同じページでないものと判断される。
【００７０】
ウェブ設定ページと操作パネルに表示しているパネル設定ページとが同じページであれば、画像形成装置１０１で、同じ設定項目を変更しようとしているので、ステップＥ４に進み、ウェブブラウザに警告表示を行うよう指示し、入力された変更内容を実行せずにステップＥ７に進む。ウェブ設定ページ５０の警告メッセージ６０の表示例は、図１０に示した例と同様である。
【００７１】
ステップＥ３では、現在アクセス中の他のＰＣのウェブブラウザの状態を読み出し、変更しようとしているウェブ設定ページと他のＰＣのいずれかのウェブブラウザで表示しているウェブ設定ページとが同じページかどうかを判断する。
【００７２】
ウェブ設定ページと他のウェブブラウザが表示しているウェブ設定ページとが同じページでなければ、他のＰＣのウェブブラウザでは同じ設定項目を変更しようとはしていないので、ステップＥ５に進む。ステップＥ５では、入力された変更内容を実行する。
【００７３】
ウェブ設定ページと他のウェブブラウザが表示しているウェブ設定ページとが同じページであれば、他のＰＣのウェブブラウザが同じ設定項目を変更しようとしているので、ステップＥ６に進み、ウェブブラウザに警告表示を行うよう指示し、入力された変更内容を実行せずにステップＥ７に進む。
【００７４】
図１３は、ウェブ設定ページ５０の警告メッセージ６１の表示例を示す図である。
現在表示されているウェブ設定ページ５０に、「他のウェブブラウザで操作中です。しばらくしてから再設定して下さい。」と記載した警告メッセージ６１を表示する。
ステップＥ７では、ウェブブラウザの状態を更新する。
【図面の簡単な説明】
【００７５】
【図１】画像形成装置１０１と情報処理端末装置１０３〜１０９とのシステム構成例を示す図である。
【図２】画像形成装置１０１の構成を示すブロック図である。
【図３】ＰＣ１０３の構成を示すブロック図である。
【図４】設定変更処理を示すフローチャートである。
【図５】設定変更処理を示すフローチャートである。
【図６】設定変更処理を示すフローチャートである。
【図７】パネル設定ページ３０の表示例を示す図である。
【図８】パネル設定ページ３０の警告メッセージ４０の表示例を示す図である。
【図９】ウェブ設定ページ５０の表示例を示す図である。
【図１０】ウェブ設定ページ５０の警告メッセージ６０の表示例を示す図である。
【図１１】設定変更処理を示すフローチャートである。
【図１２】設定変更処理を示すフローチャートである。
【図１３】ウェブ設定ページ５０の警告メッセージ６１の表示例を示す図である。
【符号の説明】
【００７６】
１０  プリンタエンジン
１１  プリンタ制御部
１２  ウェブサーバ部
１３  パネル操作部
１４  タッチパネルＬＣＤ（液晶表示装置）
１５  データ送受信部
１６  印刷部
２０  ＣＰＵ
２１  ＲＯＭ
２２  ＲＡＭ
２３  ＨＤＤ
２４  通信コントローラ
２５  ＬＡＮＩ／Ｆ（インターフェイス）
１０１  画像形成装置
１０２  ネットワーク
１０３  パーソナルコンピュータ
【図１】
2009160793.tif 000003
【図２】
2009160793.tif 000004
【図３】
2009160793.tif 000005
【図４】
2009160793.tif 000006
【図５】
2009160793.tif 000007
【図６】
2009160793.tif 000008
【図７】
2009160793.tif 000009
【図８】
2009160793.tif 000010
【図９】
2009160793.tif 000011
【図１０】
2009160793.tif 000012
【図１１】
2009160793.tif 000013
【図１２】
2009160793.tif 000014
【図１３】
2009160793.tif 000015